(57)【要約】【課題】容器口をフィルム材で塞いで使用前の密封性を確保しつつ、フィルム材の開封後も高い密封性を確保し得るようにする。【解決手段】密閉容器１０Ａは、口頸部１６をもつ容器本体１２と、口頸部１６に螺着されるキャップ２２と、キャップ２２の螺合位置を規制するスペーサ１８とを有する。キャップ２２は、口頸部１６への螺合操作に伴い容器口１６ａから侵入して口頸部内側面に密接し、キャップ２２と口頸部１６との間をシールするリング状突片２６を備える。スペーサ１８は、容器本体１２に取外し可能に取付けられており、スペーサ１８の取付け状態では、リング状突片２６が口頸部内に未挿入となる位置までのキャップ２２の螺合が許容され、それ以上の螺合が規制される一方、スペーサ１８の取外し状態では、リング状突片２６が口頸部内側に侵入する位置までのキャップ２２の螺合が許容される。【選択図】図２
2008201479.tif 000002
【特許請求の範囲】
【請求項１】
口頸部をもつ容器本体と、前記口頸部に螺着されることにより容器口を塞ぐキャップと、このキャップの前記口頸部に対する螺合位置を規制する規制部材とを有し、
前記キャップは、前記口頸部への螺合操作に伴い前記容器口から口頸部内に侵入可能な侵入部分を具備し、かつ当該侵入部分の前記口頸部への侵入状態で前記キャップと口頸部との間をシールするシール部を備え、
前記規制部材は、前記キャップ及び容器本体のうち少なくとも一方側に取外し可能に設けられ、取付け状態において、前記口頸部に対して前記侵入部分が未侵入状態となる第１螺合位置から先への前記キャップの螺合を規制する一方、取外し状態において、前記侵入部分が前記口頸部内に侵入して前記シールを達成する第２螺合位置までの前記キャップの螺合を許容する
ことを特徴とする密閉容器。
【請求項２】
請求項１に記載の密閉容器において、
前記シール部は、前記侵入部分として前記口頸部への螺合操作に伴い前記口頸部内に侵入してその内側面に密接することにより前記キャップと口頸部との間をシールする主シール部を有し、さらにこの主シール部とは別に、前記口頸部の外周面に当接することにより前記口頸部に対する前記主シール部の密接部分を前記口頸部の外側から支持する補助シール部を有する
ことを特徴とする密閉容器。
【請求項３】
請求項１又は２に記載の密閉容器において、
前記容器本体に収容物が収容され、かつ前記容器口を塞ぐように前記口頸部の先端部分にフィルム部材が装着されている
ことを特徴とする密閉容器。
【請求項４】
請求項１乃至３の何れか一項に記載の密閉容器において、
前記容器本体は、前記口頸部に連続して設けられるショルダ部を有するものであり、
前記規制部材は、前記口頸部に取付けられて前記キャップと前記ショルダ部との間に介装されるスペーサからなる
ことを特徴とする密閉容器。
【請求項５】
請求項１乃至３の何れか一項に記載の密閉容器において、
前記規制部材は、前記第１螺合位置まで螺着された状態の前記キャップ、及び前記容器本体に対してこれらを被覆するように装着されるシュリンク包装体であることを特徴とする密閉容器。
【請求項６】
請求項１乃至３の何れか一項に記載の密閉容器において、
前記規制部材は、前記第１螺合位置まで螺着された状態の前記キャップ、及び前記容器本体に亘って貼付けられるシール体であることを特徴とする密閉容器。
【請求項７】
請求項１乃至６の何れか一項に記載の密閉容器において、
前記規制部材は、前記口頸部の中心軸に対してこれと直交する方向に取外し可能な状態で前記キャップ又は容器本体に取付けられている
ことを特徴とする密閉容器。
【請求項８】
請求項１乃至７の何れか一項に記載の密閉容器において、
前記規制部材は、取外し用の摘み部を備えている
ことを特徴とする密閉容器。
【請求項９】
請求項１又は２に記載の密閉容器において、
前記容器本体の前記口頸部は、先端の肉厚がそれより後側の部分の肉厚よりも薄く形成されている
ことを特徴とする密閉容器。
【請求項１０】
請求項３に記載の密閉容器の製造方法であって、
前記口頸部の先端の肉厚がそれより後側の部分の肉厚よりも薄くなるように前記容器本体を予め形成しておき、この容器本体に収容物を収容した後、前記容器口を塞ぐように前記口頸部の先端部分にフィルム部材を溶着する
ことを特徴とする密閉容器の製造方法。
【発明の詳細な説明】
【技術分野】
【０００１】
本発明は、収容物として食品、医薬品、化粧品等のうち主に液体や香料成分を含むものを収容するのに適した密閉容器およびその製造方法に関するものである。
【背景技術】
【０００２】
上記のような密閉容器として、従来、例えば特許文献１のような容器が提案されている。この容器は、容器本体の口頸部にキャップを螺合装着するタイプの容器において、キャップの内側天面にリング状リブ（シール部）を設けたもので、キャップを口頸部に装着すると、リング状リブが口頸部内側に侵入して当該口頸部内周面に密接し、これによって容器口を密閉する構造となっている。
【特許文献１】特開２００３−２３１５４６号公報
【発明の開示】
【発明が解決しようとする課題】
【０００３】
ところで、医薬品や化粧品等の分野では、未開封容器のバージン性や収容物の品質を担保することを目的として、口頸部の先端部にアルミフィルム等のフィルム部材を装着して容器口を塞ぎ、収容物を密閉した状態で流通する商品がある。この種の商品についても、開封後は、液漏れや揮発性収容物の蒸発を防止することが求められる場合が多く、従って、特許文献１のような容器構造を採用することが有効となる。
【０００４】
ところが、特許文献１のものは、上記の通りキャップ装着によりリング状リブが口頸部内側に入り込む構造なので、容器口をフィルム部材で塞ぐ商品では、フィルム部材の開封前にキャップを装着すると、リング状リブによりフィルム部材が破れてしまうため適用が困難であった。
【０００５】
本発明は、このような課題を解決するために成されたものであり、容器口をフィルム部材で塞いで使用前の密封性を確保することができるとともに、フィルム部材の開封後も高い密封性を確保し得るようにすることを目的とするものである。
【課題を解決するための手段】
【０００６】
上記課題を解決するために、本発明は、口頸部をもつ容器本体と、前記口頸部に螺着されることにより容器口を塞ぐキャップと、このキャップの前記口頸部に対する螺合位置を規制する規制部材とを有し、前記キャップは、前記口頸部への螺合操作に伴い前記容器口から口頸部内に侵入可能な侵入部分を具備し、かつ当該侵入部分の前記口頸部への侵入状態で前記キャップと口頸部との間をシールするシール部を備え、前記規制部材は、前記キャップ及び容器本体のうち少なくとも一方側に取外し可能に設けられ、取付け状態において、前記口頸部に対して前記侵入部分が未侵入状態となる第１螺合位置から先への前記キャップの螺合を規制する一方、取外し状態において、前記侵入部分が前記口頸部内に侵入して前記シールを達成する第２螺合位置までの前記キャップの螺合を許容することを特徴とするものである（請求項１）。
【０００７】
この容器によれば、規制部材が取外される前は、第１螺合位置から先へキャップを螺合操作することができない。そのため、口頸部に対してシール部（侵入部分）が侵入することがない。一方、規制部材が取外されると、第２螺合位置までキャップを螺合することが可能となり、シール部（侵入部分）を頸部内側に侵入させて口頸部とキャップとの間をシールすることが可能となる。そのため、前記容器本体に収容物が収容され、かつ前記容器口を塞ぐように前記口頸部の先端部分にフィルム部材が装着されるもの（請求項３）については、フィルム部材の開封前、開封後の双方において収容物の高い密閉性を保つことが可能となる。すなわち、規制部材を取り付けた状態では、第１螺合位置から先へキャップを螺合操作することができないため、キャップのシール部（侵入部分）でフィルム部材を破損等することがなく、フィルム部材により容器本体の密閉性を適切に保つことができる。そして、フィルム部材の開封後は、キャップ（規制部材を取り外した状態）を第２螺合位置まで螺合すれば、シール部（侵入部分）が口頸部内側に侵入してキャップと口頸部との間をシールするため、当該シール部によるシール機能により容器本体の密閉性を保つことができる。
【０００８】
このような構成において、前記シール部は、前記侵入部分として前記口頸部への螺合操作に伴い前記口頸部内に侵入してその内側面に密接することにより前記キャップと口頸部との間をシールする主シール部を有し、さらにこの主シール部とは別に、前記口頸部の外周面に当接することにより前記口頸部に対する前記主シール部の密接部分を前記口頸部の外側から支持する補助シール部を有するのが好適である（請求項２）。
【０００９】
この構成によれば、キャップ装着時（第２螺合位置まで装着した際）に、主シール部に押されて口頸部が径方向外側に変形する（逃げる）のを補助シール部により抑制することができ、これにより主シール部を口頸部内周面により確実に密接させて口頸部とキャップの間のシール性を高めることができる。
【００１０】
なお、規制部材の具体的な構成としては種々考えられるが、例えば容器本体が、前記口頸部に連続して設けられるショルダ部を有するものでは、前記規制部材は、前記口頸部に取付けられて前記キャップと前記ショルダ部との間に介装されるスペーサとして構成することができる（請求項４）。また、規制部材は、第１螺合位置まで螺着された状態の前記キャップ、及び前記容器本体に対してこれらを被覆するように装着されるシュリンク包装体や（請求項５）、同キャップ、及び前記容器本体に亘って貼付けられるシール体（請求項６）であってもよい。
【００１１】
これらの構成によれば、上記のようなキャップの螺合位置の規制および解除を簡単な構成で達成することが可能となる。
【００１２】
また、上記のような容器においては、規制部材を簡単、かつ速やかに取外せる方が取扱い上、都合が良い。そのため、前記規制部材は、前記口頸部の中心軸に対してこれと直交する方向に取外し可能に構成されているもの（請求項７）、あるいは取外し用の摘み部を備えているもの（請求項８）であるのが好適である。
【００１３】
なお、口頸部の先端にフィルム部材を装着して密閉性を担保するような容器では、当該フィルム部材を口頸部の先端に溶着するケースが多く、その場合、当該溶着により口頸部先端が潰れて厚み方向に膨らみ、当該口頸部とキャップとの前記シール性に影響が出るこという不都合が考えられる。しかし、このような不都合は、容器本体の前記口頸部の先端の肉厚をそれより後側の部分の肉厚よりも薄く形成しておくことで解消される（請求項９）。すなわち、口頸部の先端の肉厚がそれより後側の部分の肉厚よりも薄くなるように前記容器本体を予め形成しておき、この容器本体に収容物を収容した後、前記容器口を塞ぐように前記口頸部の先端部分にフィルム部材を溶着するようにする（請求項１０）。
【００１４】
このようにすれば、フィルム部材の溶着により口頸部先端が多少潰れても、当該口頸部先端の厚み方向への膨らみを抑えることが可能となるため、上記シール性への影響を低減することが可能となる。
【発明の効果】
【００１５】
本発明に係る密閉容器は、容器口をフィルム部材で塞ぐような場合でも、規制部材によりキャップの螺合位置を第１螺合位置に規制することができるため、キャップに設けたシール部（侵入部分）で前記フィルム部材を破損等することがない。しかも、フィルム部材の開封後は、規制部材を取外した状態でキャップを第２螺合位置まで螺合すれば、シール部（侵入部分）を口頸部内に侵入させてキャップと口頸部との間をシールすることができる。従って、容器口をフィルム部材で塞いで使用前の密封性を確保することができる一方、開封後はシール部によるキャップと口頸部との間のシールにより高い密封性を確保することができる。
【発明を実施するための最良の形態】
【００１６】
本発明の好ましい実施の形態について図面を用いて説明する。
【００１７】
図１および図２は、本発明の第１の実施形態に係る密閉容器を概略的に示しており、図１（ａ）は平面図で、図１（ｂ）は側面図（一部断面図）で密閉容器をそれぞれ示している。また、図２は、図１（ｂ）の要部を拡大図で示している。
【００１８】
これらの図に示す密閉容器１０Ａ（以下、容器１０Ａと略す）には、例えば不織布等のパッド状の基材にアルコール性の化粧水成分を含浸させた拭き取り用化粧品（図示省略）が収容されている。なお、容器１０Ａの収容物は当該化粧品に限定されるものではない。
【００１９】
容器１０Ａは、容器本体１２と、この容器本体１２に着脱自在に装着されるキャップ２２およびスペーサ１８から構成されており、いずれもポリプロピレン、ポリエチレン、ポリエチレンテレフタレート、ポリエチレンナフタレート、ポリエステル、軟質ポリ塩化ビニル、ポリカーボネート等の合成樹脂により構成されている。なお、バリアー性を担保するために、容器本体１２およびキャップ２２は、例えばポリオレフェン系樹脂（ポリエチレン、ポリプロピレン等）とエチレン・ビニルアルコール共重合体との積層体等を材料として構成されるものであってもよい。また、容器本体１２については硝子から構成されるものであってもよい。
【００２０】
前記容器本体１２は、平面視正方形の箱形に形成され、その上部には、やや広口の容器口１６ａを具備する円筒状の口頸部１６が設けられている。口頸部１６の外周面には雄ねじ１７が形成されており、前記キャップ２２がこの口頸部１６に螺着されることによって前記容器口１６ａが塞がれる構成となっている。
【００２１】
また、口頸部１６の先端（図１（ｂ）では上端）には、図２に示すように、アルミラミネートフィルム等、イージピール性（易開封性）を有したフィルム部材２０が溶着されており、これにより前記キャップ２２とは別に、このフィルム部材２０によって前記容器口１６ａが塞がれている。つまり、図１は、上記化粧品が使用される前（開封前）の状態を示している。なお、バリアー性を担保するために、フィルム部材２０として、例えばＰＥＴ／接着層／アルミニウム箔／接着層／イージピール層（ＰＥ＋ＰＰのブレンドやＥＭＭＡ等）で構成される積層体、ＰＥＴ／アルミニウム箔／コート剤、アルミ蒸着ＰＥＴ／接着層／イージピール層で構成される積層体等を用いてもよい。
【００２２】
この容器本体１２には、口頸部１６に対するキャップ２２の螺合位置を規制するためのリング状の前記スペーサ１８（規制部材）が取付けられている。このスペーサ１８は、前記口頸部１６の根本部分に外嵌されており、口頸部１６に螺着されるキャップ２２と前記容器本体１２のショルダ部１４との間に介在して後述するようにキャップ２２の螺着位置を規制するようになっている。
【００２３】
このスペーサ１８は、詳しく図示していないが、その周方向一箇所に切断部分を有しており、この切断部分を広げることにより口頸部１６からの取外しが可能となっている。なお、切断部分に代えて、スペーサ１８の周方向一箇所又は複数箇所に、引き離し方向に力を加えることにより容易に破断可能な易破断部を設けるようにしてもよい。
【００２４】
一方、キャップ２２は、その内周面に、前記口頸部１６の雄ねじ１７に螺合する雌ねじ２４を有している。また、キャップ２２の内側天面には、前記口頸部１６に対応して内外一対のリング状突片２６，２７が一体に形成されている。
【００２５】
これらのリング状突片２６，２７は、前記口頸部１６の厚みよりも若干狭い間隔を隔てて同心円状に設けられており、特に、内側のリング状突片２６は、外側のリング状突片２７に比して前記キャップ２２の内側天面からの突出寸法（図２では上下方向の寸法）が大きく設けられることにより径方向に適度に撓み変位可能に形成されている。これにより口頸部１６に対して後述する螺合終端位置（第２螺合位置）までキャップ２２を締め込むと、これらリング状突片２６，２７が口頸部１６の先端部分をその厚み方向に挟み込み、内側のリング状突片２６が口頸部１６内周面に密接して当該口頸部１６とキャップ２２の間をシールする構成となっている。つまり、当実施形態では、これらリング状突片２６，２７が本発明に係るシール部に相当し、さらにこれらリング状突片２６，２７のうち内側のリング状突片２６が本発明に係る主シール部（侵入部分）、外側のリング状突片２７が本発明に係る補助シール部にそれぞれ相当する。
【００２６】
なお、前記キャップ２２は、前記スペーサ１８が容器本体１２から取外される前は、当該スペーサ１８により口頸部１６に対する螺合位置が規制され、スペーサ１８が取外されると当該規制が解除されるようになっている。具体的には、スペーサ１８が取外される前は、キャップ２２と前記ショルダ部１４との間にスペーサ１８が介在してキャップ２２の螺合終端位置が本来の螺合終端位置よりも底上げされ、これによってキャップ２２は、図２に示すように、口頸部１６に対して前記リング状突片２６が未侵入状態となる第１螺合位置までの締め込みが許容され、それより先への締め込みが規制されるようになっている。一方、スペーサ１８が取外された後は、第１螺合位置を越えて本来の螺合終端位置、つまり口頸部１６の先端部分が両リング状突片２６，２７により挟み込まれる位置（第２螺合位置という）までキャップ２２を締め込むことができるようになっている。
【００２７】
以上のような容器１０Ａによれば、スペーサ１８の取外し前は、キャップ２２の螺合位置が第１螺合位置に規制されて前記リング状突片２６の口頸部１６への侵入を防止できるので、容器本体１２にキャップ２２を装着した場合でも前記リング状突片２６によりフィルム部材２０を破損等することがなく、開封前の密封性を良好に確保することができる。
【００２８】
そして、開封後は、スペーサ１８を取外してキャップ２２を第２螺合位置まで締め込むようにすれば、図３に示すように、キャップ２２のリング状突片２６を口頸部１６内周面に密接させてキャップ２２と口頸部１６との間をシールすることができ、開封後の密封性を確保することができる。従って、この容器１０Ａによれば、容器本体１２の容器口１６ａをフィルム部材２０で塞いで開封前の密封性を確保しつつ、開封後も高い密封性を確保することができるようになる。
【００２９】
しかも、構造的には、容器本体１２の口頸部１６の周囲にスペーサ１８を取外し可能に設け、このスペーサ１８によりキャップ２２の螺合位置の規制および解除を行い得るようにしているので、簡単な構造で上記の作用効果を奏することができる。特に、スペーサ１８は、上記の通り周方向一箇所に切断部分を備えたリング状の構成となっているので、当該切断部分を広げながらスペーサ１８を口頸部１６の側方（中心軸と直交する方向）に引き取ることにより簡単に口頸部１６から取外すことができる。そのため、キャップ２２の螺合位置規制を極めて簡単に解除することができる。
【００３０】
なお、図１に示した容器１０Ａのように、口頸部１６の先端にフィルム部材２０を溶着する容器１０Ａでは、当該フィルム部材２０の溶着の際に口頸部１６の先端が潰れて厚み方向に膨らみ、口頸部１６とキャップ２２とのシール性に影響が出るという不都合が考えられる。つまり、口頸部１６の先端が潰れて前記リング状突片２６，２７による挟み込みが困難となることが考えられる。そのため、このような不都合を回避するため、口頸部１６の先端にフィルム部材２０を溶着するものでは、図４（ａ）に示すように、口頸部１６先端の肉厚がそれよりも後側の肉厚よりも薄肉になるように（溶着部分の厚みが口頸部１６の厚みより薄肉になるように）容器本体１２を予め形成しておき、この容器本体１２に化粧品を収容した後、容器口１６ａを塞ぐように口頸部１６の先端にフィルム部材２０を溶着するのが好ましい。このようにすれば、フィルム部材２０の溶着時に口頸部１６先端が多少潰れても、図４（ｂ）に示すように口頸部１６の厚み方向への膨らみを抑えることが可能となるため、上記のような不都合を良好に回避することが可能となる。
【００３１】
この場合、口頸部１６先端（溶着部分）の形状は、使用される樹脂材料、容器の成型条件、フィルム部材２０の材質や溶着条件等によって適宜選定可能であり、例えば断面（図４（ａ）に相当する断面）階段状、山型状、三角形状、台形状等の種々の形状が適用可能である。
【００３２】
なお、上述した第１の実施形態の容器１０Ａにおいて、スペーサ１８としては、次のような構成を採用することも可能である。
【００３３】
例えば、図５に示すようなものを設けてもよい。すなわち、図５に示す容器１０Ａのスペーサ１８は、弾力のあるやや硬質の合成樹脂材料から構成された円弧状の本体部１８ａを有し、この本体部１８ａの弾発力により口頸部１６をその外側から締め付けるようになっている。本体部１８ａの長手方向中央には、口頸部１６の側方に突出する摘み部１８ｂが一体形成されており、この摘み部１８ｂを摘んで側方（図中矢印に示す方向）に引っ張ることによりスペーサ１８を取外す構成となっている。このようなスペーサ１８の構成によれば、摘み部１８ｂを摘んでより簡単にスペーサ１８を取外すことができるという利点がある。
【００３４】
また、図１や図５のようにスペーサ１８を容器本体１２やキャップ２２とは別体に設ける以外に、図６に示すように、スペーサ１８をキャップ２２に一体成型するようにしてもよい。すなわち、図５に示すスペーサ１８は、周方向に一定間隔で切込み１８ｄが形成されるリング状の本体部１８ｃと、この本体部１８ｃの途中部分に摘み部１８ｅを備えた構成となっており、キャップ２２の下端に、周方向に伸びる切断用溝１８ｆを介して切り離し可能に連設（一体成型）されている。この構成では、キャップ２２の取外しは、摘み部１８ｅを摘んで引っ張りつつスペーサ１８をキャップ２２から分離（切り離す）させることにより行う。このような構成によれば、キャップ２２とスペーサ１８とを同一の金型を用いて一体成型できるため生産性が良く、また、開封前に不意にスペーサ１８が容器１０Ａから外れてしまうといった不都合を回避できるという利点がある。
【００３５】
次に、本発明の第２の実施形態に係る密閉容器について説明する。
【００３６】
図７，図８は、第２の実施形態に係る密閉容器を概略的に示しており、図７は斜視図で、図８は要部断面図で、それぞれ密閉容器を示している。なお、この密閉容器の主な構成は、第１の実施形態のものと共通するため、以下の説明では、第１の実施形態との相違点について詳しく説明することにする。
【００３７】
同図に示す密閉容器１０Ｂ（以下、容器１０Ｂと略す）は、前記化粧品が使用される前（開封前）の状態を示している。容器１０Ｂは、前記容器本体１２及びキャップ２２のほぼ全体にシュリンク包装が施されており、そのシュリンクフィルム３０（本発明に係るシュリンク包装体に相当する）によりキャップ２２の螺合位置が規制されている。つまり、第２の実施形態では、本発明に係る規制部材として前記スペーサ１８の代わりにシュリンク包装体が設けられており、この点で第１の実施形態と構成が相違している。
【００３８】
詳しく説明すると、図８に示すように、容器１０Ｂは、前記口頸部１６に対して前記リング状突片２６が未侵入状態となる第１螺合位置までキャップ２２が締め込まれた状態とされ、この状態で容器本体１２及びキャップ２２のほぼ全体、正確にはキャップ２２の頂上中央部分及びボトル本体１１の底面中央部分を除く容器１０Ｂのほぼ全体に亘って熱収縮フィルムからなる前記シュリンクフィルム３０が密着した状態で装着されている。そして、このように容器本体１２及びキャップ２２がシュリンクフィルム３０により一体に被覆されることによってキャップ２２が容器本体１２に対して操作不能に拘束（固定）されている。なお、図面中では、シュリンクフィルム３０を明確に示すために太線で同フィルム３０の輪郭を示している。シュリンクフィルム３０の材質等は、特に本発明において限定されるものではないが、例えばポリオレフェン系（ポリエチレン、ポリプロピレン等）樹脂、ポリ塩化ビニル、ポリ塩化ビニリデン、ポリビニルアルコール、ポリスチレン、ポリエステル、ポリカーボネート、ポリアクリロニトリル、エチレン酢酸ビニル共重合体、エチレン・ビニルアルコール共重合体、エチレン・メタクリル酸共重合体、ナイロン等の熱可塑性樹脂が適用される。
【００３９】
シュリンクフィルム３０には、キャップ２２の頂上部分から容器本体１２の底面部分に亘って縦方向に伸びる、ミシン目からなる一対の開封線３２が形成されており、さらに該開封線３２に沿った上端縁部には摘み部３４が一体に設けられている。すなわち、摘み部３４を摘み、前記開封線３２に沿って該フィルム３０を縦方向に破断することで、容易にシュリンクフィルム３０を取外し可能となっている。
【００４０】
このような第２の実施形態の容器１０Ｂについても、シュリンクフィルム３０の取外し前は、キャップ２２の螺合位置が第１螺合位置に規制されて前記リング状突片２６の口頸部１６への侵入が阻止されるので、開封前の密封性を良好に確保することができる。そして、シュリンクフィルム３０及び前記フィルム部材２０を取外してキャップ２２を第２螺合位置まで締め込むようにすれば、キャップ２２のリング状突片２６を口頸部１６内周面に密接させてキャップ２２と口頸部１６との間をシールすることができ、開封後の密封性を確保することができる。従って、第２の実施形態に係る当該容器１０Ｂにおいても、第１の実施形態の容器１０Ａと同様の作用効果を享受することができる。
【００４１】
なお、シュリンク包装の施工方法は特に限定されるものではないが、例えば当実施形態では、化粧品を収容してフィルム部材２０を装着した前記容器本体１２に対し、上記のように第１螺合位置までキャップ２２を螺着した状態で、当該容器本体１２及びキャップ２２に対してシュリンクフィルム３０を巻着する、あるいは予め筒状に形成されたシュリンクフィルム３０（カットフィルム）を装着する。そして、加熱装置によりシュリンクフィルム３０を熱風加熱することによって該フィルム３０を熱収縮させ、これによって容器本体１２及びキャップ２２にシュリンクフィルム３０を密着させるようにする。
【００４２】
ところで、上述した容器１０Ａ，１０Ｂは、本発明に係る密閉容器の好ましい実施形態の一例であって、その具体的な構成は、本発明の要旨を逸脱しない範囲で適宜変更可能である。
【００４３】
例えば、キャップ２２の螺合位置を規制する部材（本発明の規制部材）は、上記のようなスペーサ１８やシュリンクフィルム３０に限定されるものではなく、第１の実施形態に類似する構成として、容器本体１２の前記口頸部１６の外周面に径方向に引き抜き可能なピン状部材を挿着しておき、このピン部材によりキャップ２２の螺合位置を規制するような構成としてもよい。また、第２の実施形態に類似する構成として、容器本体１２及びキャップ２２に亘ってシール体（ラベルシール、ポップ（ＰＯＰ）シール等）を貼着することにより該シール材でキャップ２２を操作不能に拘束（固定）し、これによってキャップ２２の螺合位置を規制するように構成してもよい。この場合、シール材を構成する表面基材としては、ポリオレフェン系（ポリエチレン、ポリプロピレン等）樹脂、ポリスチレン、ポリエステル、塩化ビニル、各種合成紙（ユポ（登録商標））等のフィルム基材や、上質紙、クラフト紙、アート紙、ミラーコート紙、キャストコート紙、再生紙、含漫紙等の紙基材を適用することができる。要は、容器本体１２及びキャップ２２のうち少なくとも一方側に取付けられた状態で容器本体１２の螺合位置を第１螺合位置に規制でき、取外しにより当該規制を解除できるものであれば、上記規制部材の構成は何れの構成であってもよい。
【００４４】
また、上記実施形態の容器１０Ａ，１０Ｂでは、キャップ２２にリング状突片２６，２７を一体成型しているが、図９に示すように、キャップ２２を、雌ねじ２４を有するキャップ本体２２ａと、このキャップ本体２２ａの内側天面部分に嵌め込まれるインナ部材２２ｂとから構成し、このインナ部材２２ｂに前記リング状突片２６，２７を設ける構成としてもよい。このような構成によれば、インナ部材２２ｂをキャップ本体２２ａとは別の材料、例えばキャップ本体２２ａに比して軟性の材料から構成することにより、キャップ２２の剛性を確保しつつ、口頸部１６とキャップ２２との間のシール性を高めることが可能になる。この場合、インナ部材２２ｂの材料としては、ポリプロピレン、ポリエチレン、ポリエチレンテレフタレート、ポリエチレンナフタレート、ポリエステル、軟性ポリ塩化ビニル、ポリカーボネート、熱可塑性エラストマ、シリコンゴム、イソプレンゴム、ブチルゴム等の材料が好適であり、例えば、直鎖状ポリエチレンや熱可塑性エラストマはシール性を高める上で特に適している。また、メタロセン触媒直鎖状ポリエチレンや、スチレン系熱可塑性エラストマ、オレフェン系熱可塑性エララスト等も、上記シール性を高める上で好適である。
【００４５】
また、上記実施形態の容器１０Ａ，１０Ｂでは、キャップ２２の内側天面に内外一対のリング状突片２６，２７を設けているが、外側のリング状突片２７を省略して内側のリング状突片２６のみを備えた構成であってもよい。但し、リング状突片２６だけの構成の場合、口頸部１６がリング状突片２６に押圧されて径方向外側に変形し（逃げ）、リング状突片２６によるシール性が低減することも考えられるため、当該シール性を高める上では、実施形態のように内外一対のリング状突片２６，２７を設け、これらリング状突片２６，２７により口頸部１６の先端部分をその肉厚方向に挟み込む構成とするのが望ましい。
【００４６】
また、この実施形態では、内側のリング状突片２６が径方向へ撓み変位可能に形成されることにより、当該内側のリング状突片２６が口頸部１６内周面に密接して当該口頸部１６とキャップ２２との間をシールする一方、外側のリング状突片２７が内側のリング状突片２６の当該密接部分を口頸部１６の外側から支持する構成となっているが、逆の構成、つまり、外側のリング状突片２７が径方向に撓み変位可能に形成されることにより、当該外側のリング状突片２７が口頸部１６外周面に密接して当該口頸部１６とキャップ２２との間をシールする一方、内側のリング状突片２６が外側のリング状突片２７の当該密接部分を口頸部１６の内側から支持する構成であってもよい。
【００４７】
また、上記実施形態の容器１０Ａ，１０Ｂでは、口頸部１６の先端にフィルム部材２０を溶着した構成となっているが、フィルム部材２０は、勿論、接着剤等により口頸部１６に装着されるものであってもよい。また、このようなフィルム部材２０に代えて、例えば口頸部１６に嵌挿させる内蓋、パッキン等の部材を設けて開封前の容器本体１２の密閉性を確保することも可能である。但し、使用時の操作性、収容物に含まれる成分の吸着等の問題が懸念される場合には、実施形態のようなフィルム部材２０を設けて容器口１６ａを塞ぐのが好適である。
【図面の簡単な説明】
【００４８】
【図１】本発明の第１の実施形態に係る密閉容器を示す概略図である（（ａ）は平面図、（ｂ）は側面図（一部断面図）である）。
【図２】密閉容器の断面を示す図１（ｂ）の要部拡大図である（詳しくはスペーサ取外し前のキャップの装着状態を示している）。
【図３】密閉容器の断面図である（スペーサ取外し後のキャップの装着状態を示している）。
【図４】本発明に係る密閉容器の製造方法を説明する図である（（ａ）はフィルム部材の溶着前、（ｂ）はフィルム部材の溶着後の容器本体の状態を示す断面図である）。
【図５】本発明に係る他の密閉容器を示す平面図である。
【図６】本発明に係る他の密閉容器を示す平面図である（（ａ）は平面図、（ｂ）は断面図である）。
【図７】本発明の第２の実施形態に係る密閉容器を示す斜視概略図である。
【図８】密閉容器の要部断面図である。
【図９】本発明に係る他の密閉容器を示す断面図である。
【符号の説明】
【００４９】
１０Ａ，１０Ｂ  密閉容器
１２  容器本体
１４  ショルダ部
１６  口頸部
１６ａ  容器口
１８  スペーサ
２０  フィルム部材
２２  キャップ
２６，２７  リング状突片
３０  シュリンクフィルム
【図１】
2008201479.tif 000003
【図２】
2008201479.tif 000004
【図３】
2008201479.tif 000005
【図４】
2008201479.tif 000006
【図５】
2008201479.tif 000007
【図６】
2008201479.tif 000008
【図７】
2008201479.tif 000009
【図８】
2008201479.tif 000010
【図９】
2008201479.tif 000011